(57)【特許請求の範囲】
【請求項１】
流入口、流路穴、及び流出口を有し、水が前記流入口から前記流路穴に流入し、及び前記流路穴に流入した水が前記流出口から流出する液流路体と、
前記流入口に対向して前記流路穴内に配置される正極電極、前記流入口に対向して前記流路穴内に配置され、及び前記正極電極に電極間隔を隔てて対向して並設される負極電極を有し、前記正極電極及び前記負極電極の間に電圧が印加されて水を電気分解する電極体と、
前記流出口側において、前記流路穴の穴内周に流出隙間を隔てる液流出路を形成して前記流路穴内に配置される気泡貯留本体、前記気泡貯留本体内に形成され、気泡を貯留する気泡貯留空間、及び前記気泡貯留本体に形成され、前記電極体側の前記流路穴に開口する気泡導入口を有し、水及び気泡が前記気泡導入口から前記気泡貯留空間に流入する気泡貯留手段と、
前記電極体及び前記気泡貯留手段の間において、前記流路穴の穴内周に流入間隔を隔てる液流入路を形成して前記流路穴内に配置される流体ガイド本体、前記流体ガイド本体を貫通して前記電極体側の前記流路穴に開口すると共に、前記流体ガイド本体及び前記気泡貯留本体の間に形成され、前記液流入路及び前記液流出路に連続する混入空間に開口する流体絞り穴を有し、前記電極体側からの水及び気泡を前記流体絞り穴から前記気泡導入口内に向けて噴出する流体ガイド手段と、
を備える
ことを特徴とするバブル発生装置。
【請求項２】
前記正極電極及び前記負極電極は、
前記流路穴の穴内周に前記液流入路に連続する電極流れ隙間を隔てて前記流路穴に配置され、
前記流体絞り穴は、
前記流体ガイド本体を貫通して、前記正極電極及び前記負極電極の間の前記流路穴に開口し、及び前記混入空間に開口し、
前記正極電極及び前記負極電極の間からの水及び気泡を前記気泡導入口に向けて前記混入空間に噴出する
ことを特徴とする請求項１に記載のバブル発生装置。
【請求項３】
前記流体絞り穴は、
前記電極体側から段々に縮径しつつ前記流体ガイド本体を貫通して、前記混入空間に開口する
ことを特徴とする請求項１又は請求項２に記載のバブル発生装置。
【請求項４】
前記気泡貯留手段は、
前記液流出路に配置され、前記混入空間から前記液流出路を流れる水に、前記気泡貯留本体の外周回りの渦流を形成する渦流形成体を有する
ことを特徴とする請求項１乃至請求項３の何れかに記載のバブル発生装置。
【請求項５】
前記流体ガイド手段は、
前記液流入路に配置され、前記電極体側から前記液流入路を流れる水を整流して、前記液流出路に向けて前記混入空間に流出する整流体を有する
ことを特徴とする請求項１乃至請求項４の何れかに記載のバブル発生装置。
【請求項６】
前記液流路体は、
前記電極体に対向して前記流路穴に開口する第１流入口と、
前記流体ガイド本体に対向して前記液流入路に開口する第２流入口と、を有し、
水が前記第１流入口から前記流路穴に流入し、及び水が前記第２流入口から前記液流入路に流入する
ことを特徴とする請求項１乃至請求項４の何れかに記載のバブル発生装置。
【請求項７】
前記液流路体は、
前記電極体に対向して前記流路穴に開口する第１流入口と、
前記電極体及び前記整流体の間において、前記流体ガイド本体に対向して前記液流入路に開口する第２流入口を、有し、
水が前記第１流入口から前記流路穴に流入し、及び水が前記第２流入口から前記液流入路に流入する
ことを特徴とする請求項５に記載のバブル発生装置。
【発明の詳細な説明】
【技術分野】
【０００１】
本発明は、マイクロ単位の気泡、及びナノ単位の気泡を水に混入、溶込ませて、マイクロ単位の気泡及びナノ単位の気泡が混入、溶込んだ気泡混入水を流出するバブル発生装置に関する。
【背景技術】
【０００２】
バブルを発生する技術として、特許文献１は、マイクロバブル発生装置を開示する。マイクロバブル発生装置は、ボルダ、インレットアダプター及びミキシングアダプターを備え、各アダプターは、ホルタに取付けられる。インレットアダプターは、液体流路中に、ミキシングアダプターに向けて段々に縮径する液体絞り穴を有する。ミキシングアダプターは、液体流出口に向けて段々に拡径する液体流路を有する。
マイクロバブル発生装置は、液体流入口から液体をインレットアダプターの液体絞り穴に流入して、液体をミキシングアダプターの液体流路に噴出する。マイクロバブル発生装置は、絞り穴の噴出側で空気を液体に混合して、ミキシングアダプターの液体流路にてマイクロバブルを発生する。
【先行技術文献】
【特許文献】
【０００３】
【特許文献１】特開２０１５−９３２１９号公報
【発明の概要】
【発明が解決しようとする課題】
【０００４】
特許文献１では、液体絞り穴から液体を噴出して、空気と混合することで、空気を粉砕（剪断）して、ある程度のマイクロバブルを発生できるものの、更に液体に混入、溶込ませるマイクロバブルの量を増加し、及びナノ単位のバブルを混入、溶込ませることが望まれている。
【０００５】
本発明は、水の電気分解で発生した水素及び酸素の気泡、水中の空気をマイクロ単位の気泡、及びナノ単位の気泡に粉砕（剪断）でき、十分な量のマイクロ単位の気泡及びナノ単位の気泡を水に混入、溶込ませて流出できるバブル発生装置を提供することにある。
【課題を解決するための手段】
【０００６】
本発明の請求項１に係るバブル発生装置は、流入口、流路穴、及び流出口を有し、水が前記流入口から前記流路穴に流入し、及び前記流路穴に流入した水が前記流出口から流出する液流路体と、前記流入口に対向して前記流路穴内に配置される正極電極、前記流入口に対向して前記流路穴内に配置され、及び前記正極電極に電極間隔を隔てて対向して並設される負極電極を有し、前記正極電極及び前記負極電極の間に電圧が印加されて水を電気分解する電極体と、前記流出口側において、前記流路穴の穴内周に流出隙間を隔てる液流出路を形成して前記流路穴内に配置される気泡貯留本体、前記気泡貯留本体内に形成され、気泡を貯留する気泡貯留空間、及び前記気泡貯留本体に形成され、前記電極体側の前記流路穴に開口する気泡導入口を有し、水及び気泡が前記気泡導入口から前記気泡貯留空間に流入する気泡貯留手段と、前記電極体及び前記気泡貯留手段の間において、前記流路穴の穴内周に流入間隔を隔てる液流入路を形成して前記流路穴内に配置される流体ガイド本体、前記流体ガイド本体を貫通して前記電極体側の前記流路穴に開口すると共に、前記流体ガイド本体及び前記気泡貯留本体の間に形成され、前記液流入路及び前記液流出路に連続する混入空間に開口する流体絞り穴を有し、前記電極体側からの水及び気泡を前記流体絞り穴から前記気泡導入口内に向けて噴出する流体ガイド手段と、を備えることを特徴とする。
【０００７】
本発明の請求項１に係る発明は、水は、流入口から流路穴に流入し、正極電極及び負極電極の間を流れて、流体絞り穴に流入して、液絞り穴から混入空間に噴出される。流入口から流路穴に流入した水は、液流入路を流れて混入空間に流入し、混入空間から液流出路を通って液流出路から流出する。
電極体は、正極電極及び負極電極の間に電圧が印加されると、正極電極及び負極電極の間を流れる水を電気分解して、水素及び酸素の気泡を連続して安定的に発生する。電極体の電気分解にて電解水を含む水、水素及び酸素の気泡は、液絞り穴に流入し、液絞り穴を通って混入空間に噴出して、乱流となる。液絞り穴は、電極体側の流路穴から電解水を含む水、水素及び酸素の気泡を流して、気泡貯留空間に向けて混入空間に噴出する。混入空間に噴出された水素及び酸素の気泡は、気泡導入口から気泡貯留空間に流入し、気泡貯留空間に貯留される。気泡貯留空間に水素及び酸素の気泡を貯留すると、液絞り穴から噴出される電解水を含む水は、気泡貯留空間又は気泡導入口の水面に衝突して、流体ガイド本体側に跳ね返される。
これにより、電解水を含む水中の空気、水素及び酸素の気泡は、水の乱流、水面の衝突によって、マイクロ単位の気泡（マイクロバブル）及びナノ単位の気泡（ウルトラファインバブル）に粉砕（剪断）され、十分な（多数量）のマイクロバブル及びウルトラファインバブルとして電解水を含む水に混入、溶け込む。
十分な量（多数量）のマイクロバブル及びウルトラファインバブルの混入、溶け込んだ気泡混入水は、液流出路を通って流出口から流出される。液流入路から混入空間を通って液流出路に流れる水の流れによって、気泡混入水は、気泡貯留本体及び流体ガイド本体の間の混入空間から液流出路に引張れて（引き寄せされて）、液流出路を流れる。
このように、本発明は、電解水を含む水、水素及び酸素の気泡を、混入空間に噴出することで、水の乱流に加えて、水を気泡貯留空間又は気泡導入口の水面に衝突することで、水中の空気、水素及び酸素の気泡を微細に粉砕（剪断）でき、十分な量（多数量）のマクロバブル及びウルトラファインバブルを、電解水を含む水に混入、溶込ませて流出できる。
なお、国際標準化機構（ＩＳＯ）の国際規格「ＩＳＯ２０４８０−１」には、１マイクロメートル（μｍ）以上１００マイクロメートル（μｍ）の気泡を「マイクロバブル」、１マイクロメートル（μｍ）未満の気泡を「ウルトラファインバブル」と定めている（以下、同様）。
本発明の請求項１に係る発明は、電圧が印加される正極電極及び負極電極によって、水を電気分解することにより水素及び酸素の気泡を発生しているので、外部から空気を流路穴に吸気する構成（機構）を必要とすることなく、安定して気泡を発生でき、外部から空気を吸気しないことで、雑菌を含まない衛生的な気泡を生成することが可能である。
これにより、雑菌を含まない衛生的なマイクロバブル及びウルトラファインバブルを電解水を含む水に混入、溶込ませて流出できる。
本発明では、水は、塩化物イオン（塩素イオン、塩素成分）を含む水であって、例えば、水道水を使用できる。
【０００８】
本発明の請求項２に係るバブル発生装置は、請求項１に係るバブル発生装置において、前記正極電極及び前記負極電極は、前記流路穴の穴内周に前記液流入路に連続する電極流れ隙間を隔てて前記流路穴に配置され、前記流体絞り穴は、前記流体ガイド本体を貫通して、前記正極電極及び前記負極電極の間の前記流路穴に開口し、及び前記混入空間に開口し、前記正極電極及び前記負極電極の間からの水及び気泡を前記気泡導入口に向けて前記混入空間に噴出することを特徴とする。
【０００９】
本発明の請求項２に係る発明は、流入口から流入した水は、正極電極及び負極電極の間を流れ、及び電極流れ隙間を流れる。電極流れ隙間を流れる水は、液流入路、混入空間及び液流出路を通して流出口から流出される。液絞り穴は、正極電極及び負極電極の間に開口する。
これにより、正極電極及び負極電極の間を流れる電解水を含む水、水素及び酸素の気泡を、確実に、液絞り穴に流入して、液絞り穴から混入空間に噴出できる。
【００１０】
本発明の請求項３に係るバブル発生装置は、請求項１又は請求項２に係るバブル発生装置において、前記流体絞り穴は、前記電極体側から段々に縮径しつつ前記流体ガイド本体を貫通して、前記混入空間に開口することを特徴とする。
【００１１】
本発明に係る請求項３は、液絞り穴は、電極体の流路穴から流入する電解水を含む水の流速を増加（減圧）しつつ流して混入空間に噴出する。
これにより、混入空間に噴出した電解水を含む水にベンチュリー効果による負圧を発生でき、水中の空気、水素及び酸素の気泡を微細なマイクロバブル及びウルトラファインバブルに粉砕（剪断）できる。
【００１２】
本発明の請求項４に係るバブル発生装置は、請求項１乃至請求項３の何れかに係るバブル発生装置において、前記気泡貯留手段は、前記液流出路に配置され、前記混入空間から前記液流出路を流れる水に、前記気泡貯留本体の外周回りの渦流を形成する渦流形成体を有することを特徴とする。
【００１３】
本発明に係る請求項４は、液流出路に渦流を発生することで、混入空間でマイクロバブル及びウルトラファインバブルを混入した電解水を含む水を乱流にし、及びキャビテーションを発生でき、渦流で再度、微細に粉砕（剪断）されたマイクロバブル及びウルトラファインバブルを、電解水を含む水に混入、溶込ませることができる。
【００１４】
本発明の請求項５に係るバブル発生装置は、請求項１乃至請求項４の何れかに係るバブル発生装置において、前記流体ガイド手段は、前記液流入路に配置され、前記電極体側から前記液流入路を流れる水を整流して、前記液流出路に向けて前記混入空間に流出する整流体を有することを特徴とする。
【００１５】
本発明に係る請求項５は、液流入路を流れる水を整流して、混入空間から液流出路に流入することで、マイクロバブル及びウルトラファインバブルの混入した電解水を含む水を、整流した水によって、確実に、混入空間から液流出路に引寄せて、液流出路に流入できる。
【００１６】
本発明の請求項６に係るバブル発生装置は、請求項１乃至請求項４の何れかに係るバルブ発生装置において、前記液流路体は、前記電極体に対向して前記流路穴に開口する第１流路口と、前記流体ガイド本体に対向して前記液流入路に開口する第２流入口と、を有し、水が前記第１流入口から前記流路穴に流入し、及び水が前記第２流入口から前記液流入路に流入することを特徴とする。
【００１７】
本発明に係る請求項６は、第１流入口から水を電極体の位置する流路穴に流入することで、正極電極及び負極電極の間に水を流すことができる。
第２流入口から水を液流入路に流入することで、液流入路から混入空間を通して液流出路に水を流すことができる。
【００１８】
本発明の請求項７に係るバブル発生装置は、請求項５に係るバブル発生装置において、前記液流路体は、前記電極体に対向して前記流路穴に開口する第１流入口と、前記電極体及び前記整流体の間において、前記流体ガイド本体に対向して前記液流入路に開口する第２流入口と、を有し、水が前記第１流入口から前記流路穴に流入し、及び水が前記第２流入口から前記液流入路に流入すること特徴とする。
【００１９】
本発明に係る請求項７は、第１流入口から水を電極体の位置する流路穴に流すことで、正極電極及び負極電極の間に水を流すことができる。第２流入口から水を電極体及び整流体の間の液流入路に流入することで、整流体で整流した水を液流入路から混入空間を通して液流出路に流すことができる。
【発明の効果】
【００２０】
本発明は、マイクロ単位の気泡（マイクロバブル）及びナノ単位の気泡（ウルトラファインバブル）を水に混入、溶込ませることができ、十分な量（多数量）のマイクロバブル及びウルトラファインバブルの混入、溶込んだ気泡混入水を流出できる。
【図面の簡単な説明】
【００２１】
【図１】バブル発生装置を示す斜視図である。
【図２】バブル発生装置を示す側面図である。
【図３】バブル発生装置を示す分解斜視図である。
【図４】図２のＡ−Ａ断面図である。
【図５】図４の部分拡大図であって、液流路体及び気泡貯留手段を示す断面図である。
【図６】図４のＢ−Ｂ断面拡大図である。
【図７】図４の部分拡大図であって、電極ユニット及び流体ガイド体（組立体）を示す断面図である。
【図８】図４のＣ−Ｃ断面拡大図である。
【図９】電極体（正極電極及び負極電極）を示す斜視図である。
【図１０】電極ユニット（端子ベース及び電極体）を示す断面図である。
【図１１】（ａ）は、気泡貯留手段を示す斜視図、（ｂ）は、気泡貯留手段の側面図である。
【図１２】（ａ）は、気泡貯留手段を示す上面図、（ｂ）は、気泡貯留手段を示す下面図である。
【図１３】（ａ）は、図１１（ｂ）のＤ−Ｄ断面図、（ｂ）は、図１３（ａ）のＦ矢視拡大図である。
【図１４】図１２（ａ）のＥ−Ｅ断面拡大図である。
【図１５】（ａ）は、流体ガイド手段を示す斜視図、（ｂ）は、流体ガイド手段を示す側面図である。
【図１６】（ａ）は、流体ガイド手段を示す上面図、（ｂ）は、図１５（ｂ）のＧ矢視拡大図である。
【図１７】図１６（ａ）のＨ−Ｈ断面図である。
【図１８】（ａ）は、組立体（電極ユニット及び流体ガイド手段）を示す斜視図、（ｂ）は、組立体（電極ユニット及び流体ガイド手段）を示す上面図である。
【図１９】バブル発生装置において、図４の部分拡大図であって、正極電極及び負極電極の間を流れる水道水、電極流れ隙間を流れる水道水、及び液流入路を流れる水道水を示す断面図である。
【図２０】バブル発生装置において、図４の部分拡大図であって、液流入路を流れる水道水、流体絞り穴を流れる水道水、液流出路に流入する気泡混入水、及び液流出路を流れる気泡混入水を示す断面図である。
【図２１】バブル発生装置において、整流体（各整流板）にて整流される水道水を示す流体ガイド本体及び流路穴の一部拡大図である。
【図２２】バブル発生装置において、図４の部分拡大図であって、液流出路を流れる気泡混入水、及び流出口に向けて流路穴を流れる気泡混入水を示す断面図である。
【図２３】バブル発生装置において、渦流形成体の流れ案内板にて流れが変更される気泡混入水を示す気泡貯留本体及び流路穴の一部拡大図である。
【図２４】バブル発生装置において、図４のＢ−Ｂ断面拡大図であって、渦流を示す図である。
【図２５】バブル発生装置を、洗面ユニットに設置した斜視図である。
【発明を実施するための形態】
【００２２】
本発明に係るバブル発生装置について、図１乃至図２５を参照して説明する。
【００２３】
バブル発生装置Ｘ（バブル発生器具／バブル発生器）は、水を電気分解して、酸素及び水素の気泡を発生し、水に気泡を混入して気泡混入水を発生する。
水は、冷水、温水（湯）である（以下、同様）。水は、純水でなく、塩化物イオン（塩素イオン、塩素成分）を含む水（塩化物イオンを溶解して水）であって、例えば、水道水である（以下、「水道水」という）。
気泡は、水道水中に含まれる空気（空気の気泡）、水道水の電気分解で発生した酸素及び水素（酸素の気泡、水素の気泡）である（以下、同様）。
気泡混入水は、水道水に空気、酸素及び水素を混入した気泡混入冷水又は気泡混入温水であって、マイクロバブル又はウルトラファインバブルを混入した水（冷水、温水）である（以下、同様）。
【００２４】
バブル発生装置Ｘは、図１乃至図１８に示すように、液流路体１、電極ユニット２、気泡貯留手段３、及び流体ガイド手段４を備える。
【００２５】
液流路体１（液流路管体）は、図１乃至図４に示すように、管本体５（水道管）、導入管体６（水道導入管）、流路穴７、複数の流入口８，９及び流出口１０を有する。
【００２６】
管本体５（円筒管本体）は、図１乃至図４に示すように、円筒管であって、主円筒管１１及び補助円筒管１２で構成される。補助円筒管１２は、管本体５（主円筒管１１）の筒中心線ａ（穴中心線）の方向Ａ（以下、「筒中心線方向Ａ」という）において、主円筒管１１の一方の筒端１１Ａ側に外嵌されて配置される。
管本体５は、流路穴７、複数の流入口８，９（第１及び第２流入口８，９）及び流出口１０を有する。
【００２７】
管本体５（液流路体１）において、流路穴７は、図１乃至図８に示すように、円形穴であって、管本体５（主円筒管１１及び補助円筒管１２）に形成される。流路穴７は、管本体５の筒中心線ａと同心に配置される。流路穴７は、管本体５の筒中心線方向Ａにおいて、管本体５を貫通して、一方の筒端５Ａ（補助円筒管１２の一方の筒端５Ａ）及び他方の筒端５Ｂ（主円筒管１１の他方の筒端５Ｂ）に開口する。
【００２８】
管本体５（液流路体１）において、第１流入口８（流入口８）は、図３乃至図８に示すように、管本体５の筒中心線方向Ａにおいて、他方の筒端５Ｂ側（主円筒管１１の他方の筒端５Ｂ側）に配置される。第１流入口８は、管本体５であって、主円筒管１１に形成される。
第１流入口８は、流路穴７の穴内周７Ｘに開口して形成される。第１流入口８は、第１流入穴８Ａ（流入穴）を通して主円筒管１１の外周（外周面／外円周面）に開口される。第１流入穴８Ａは、流路穴７の穴中心線ａの方向Ａ（以下、「穴中心線方向Ａ」という）と直交する方向において、主円筒管１１（管本体５）を貫通して形成され、又は管本体５の一方の筒端５Ａに向けて傾斜しつつ主円筒管１１を貫通して形成される。第１流入口８は、主円筒管１１の流路穴７及び主円筒管１１の外周に開口する。
流路穴７は、第１流入口８（流入口８）を有し、第１流入口８及び第１流入穴８Ａにて管本体５（主円筒管１１）の外周に開口する。
【００２９】
管本体５（液流路体１）において、第２流入口９（流入口９）は、図４及び図７に示すように、管本体５の筒中心線方向Ａにおいて、第１流入口８に間隔を隔てて並設される。第２流入口９は、主円筒管１１の一方の筒端１１Ａ側（一方の筒端５Ａ側）に配置される。
第２流入口９は、流路穴７の穴内周７Ｘに開口して形成される。第２流入口９は、第２流入穴９Ａを通して主円筒管１１の外周に開口される。第２流入穴９Ａは、流路穴７の穴中心線方向Ａと直交する方向において、主円筒管１１（管本体５）を貫通して形成され、又は管本体５の一方の筒端５Ａに向けて傾斜しつつ主円筒管１１を貫通して形成される。第２流入口９は、主円筒管１１の流路穴７及び主円筒管１１の外周に開口する。
流路穴７は、第２流入口９を有し、第２流入口９及び第２流入穴９Ａにて管本体５（主円筒管１１）の外周に開口する。
【００３０】
管本体５（液流路体１）において、流出口１０は、流路穴７に連続して形成されて、管本体５（補助円筒管１２）の一方の筒端５Ａに開口する。
流路穴７は、流出口１０を有し、流出口１０にて管本体５（補助円筒管１２）の一方の筒端５Ａに開口する。
【００３１】
液流路体１において、導入管体６（導入円筒管体）は、図１、図２、図４及び図７に示すように、円筒管であって、主導入円筒管１３及び分岐導入円筒管１４で構成される。
主導入円筒管１３は、水供給源（図示しない）に連結（接続）される。主導入円筒管１３は、管本体５の第１流入穴８Ａを通して第１流入口８に連結（接続）されて、管本体５（主円筒管１１）の流路穴７に連通される。
分岐導入円筒管１４は、図１、図２、図４及び図７に示すように、主導入円筒管１３から分岐して配置される。分岐導入円筒管１４は、管本体５の第２流入穴９Ａを通して第２流入口９に連結（接続）されて、管本体５（主円筒管１１）の流路穴７に連通される。
【００３２】
液流路体１は、図４に示すように、水供給源（図示しない）から水道水が導入管体６に供給（流入）され、水道水は導入管体６（主導入円筒管１３及び分岐導入円筒管１４）を流れる。
これにより、液流路体１において、水道水が第１及び第２流入口８，９から管本体５（主円筒管１１及び補助円筒管１２）の流路穴７に流入し、及び流路穴７に流入した水道水が流出口１０から流出する。
【００３３】
電極ユニット２（電極手段）は、図１乃至図４、図７、図９及び図１０に示すように、端子ベース１９、及び電極体２０を備える。
【００３４】
端子ベース１９は、例えば、電気絶縁性の樹脂（材料）で形成される。端子ベース１９は、図１乃至図４、図７及び図１０に示すように、ベース本体２１、及び絶縁基板２２を有し、ベース本体２１は円筒体（円筒状）に形成される。絶縁基板２２は、ベース本体２１内に配置されて、ベース本体２１内を閉塞する。
【００３５】
電極体２０は、図１、図３、図７、図９及び図１０に示すように、正極電極２３及び負極電極２４を有する。
正極電極２３及び負極電極２４は、銅、グラファイト、銅タングステン等の導電材料で形成される。正極電極２３及び負極電極２４は、例えば、長尺（矩形）に形成した正極電極板（正極板）、及び負極電極板（負極板）である。
なお、正極電極２３及び負極電極２４は、円柱等の棒状電極であっても良い。
【００３６】
正極電極２３及び負極電極２４は、図３、図７、図９及び図１０に示すように、長尺（矩形）の電極板部２５、端子板部２６、及び電極溝２７を有する。
【００３７】
正極電極２３及び負極電極２４において、電極板部２５は、図９及び図１０に示すように、電極平板２８、及び一対の電極側平板２９にて断面コ形に形成される。端子板部２６は、各電極２３，２４の長手方向ＮＬにおいて、電極板部２５（電極平板２８）の一方の極板端２５Ａと一体に形成され、一方の極板端２５Ａから各電極２３，２４の長手方向ＮＬに延在される。電極溝２７は、各電極２３，２４の長手方向ＮＬにおいて、電極板部２５の他方の極板端２５Ｂ側に形成される。電極溝２７は、電極平板２８、及び各電極側平板２９に形成され、各電極２３，２４の長手方向ＮＬと直交する方向（短手方向ＳＨ）において、各電極側平板２９を貫通して、各電極側平板２９の極板端２９Ａに開口する。電極溝２７は、各電極２３，２４の長手方向ＮＬ及び短手方向ＳＨと直交する方向（前後方向ＦＲ）において、電極平板２８の一部を貫通する。
【００３８】
正極電極２３及び負極電極２４は、図９及び図１０に示すように、相互の間に電極間隔ＨＥ（電極隙間）を隔てて対向して並設される。正極電極２３及び負極電極２４は、電極平板２８の間に電極間隔ＨＥを隔てて、電極平板２８を平行に配置する。
これにより、負極電極２４（電極平板２８）は、正極電極２３（電極平板２８）に電極間隔ＨＥを隔てて対向して、正極電極に並設される。
【００３９】
電極体２０において、正極電極２３及び負極電極２４は、図１０に示すように、端子板部２６をベース本体２１（端子ベース１９）の一方の筒端２１Ａからベース本体２１内に挿入し、及び端子板部２６を絶縁基板２２に貫通して、絶縁基板２２（端子ベース１９）に取付けられる。
正極電極２３及び負極電極２４において、端子板部２６は、図１０に示すように、絶縁基板２２を貫通して、ベース本体２１の他方の筒端２１Ｂから突出して配置される。
正極電極２３及び負極電極２４は、図１０に示すように、ベース本体２１（端子ベース１９）の筒中心線ｄの両側に配置される。正極電極２３及び負極電極２４において、電極板部２５は、ベース本体２１（端子ベース１９）の筒中心線ｄの方向Ｄ（以下、「筒中心線方向Ｄ」という）において、一方の筒端２１Ａから突出して延在される。
【００４０】
電極ユニット２において、ベース本体２１の一方の筒端２１Ａから電気絶縁性の樹脂、例えば、エポキシ樹脂をベース本体２１内に充填して、樹脂層ＰＬを形成する（図１０参照）。
正極電極２３及び負極電極２４（端子板部２６）は、エポキシ樹脂の個化によって、樹脂層ＰＬで電気絶縁され、及びベース本体２１（端子ベース１９）に固定される。正極電極２３及び負極電極２４は、端子ベース１９（絶縁基板２２）に片持ち支持される。
【００４１】
気泡貯留手段３（気泡貯留ユニット）は、図３、図１１乃至図１４に示すように、気泡貯留本体３１、気泡貯留空間３２、気泡導入口３３、及び渦流形成体３４を有する。
【００４２】
気泡貯留本体３１（気泡貯留本体）は、例えば、円筒体（円筒状）に形成される。気泡貯留本体３１は、筒中心線ｂの方向Ｂにおいて、一方の筒端３１Ａが閉塞される。
気泡貯留本体３１において、一方の筒端３１Ａ側は、筒中心線ｂの方向Ｂに突出する半球状に形成される。
【００４３】
気泡貯留空間３２は、図１２（ａ）及び図１４に示すように、気泡貯留本体３１内に形成され、気泡を貯留する。気泡貯留空間３２は、例えば、気泡貯留本体３１の筒中心線ｂと同心に配置される円形穴（気泡貯留穴）であって、気泡貯留本体３１の筒中心線ｂの方向Ｂ（以下、「筒中心線方向Ｂ」という）に延在して形成される。気泡貯留空間３２は、気泡貯留本体３１の一方の筒端３１Ａ（半球状の筒端）で閉塞され、気泡貯留本体３１の他方の筒端３１Ｂに開口する。
【００４４】
気泡導入口３３は、図１２（ａ）及び図１４に示すように、気泡貯留本体３１に形成される。気泡導入口３３は、例えば、円形に形成される。気泡導入口３３は、気泡貯留空間３２（気泡貯留穴）の穴中心線ｂと同心に配置され、気泡貯留空間３２に連続して形成される。気泡導入口３３は、気泡貯留本体３１の他方の筒端３１Ｂに開口する。
気泡貯留空間３２（気泡貯留穴）は、気泡導入口３３を有し、気泡導入口３３にて気泡貯留本体３１の他方の筒端３１Ｂに開口する。
【００４５】
気泡貯留手段３において、渦流形成体３４（渦流発生体）は、気泡貯留本体３１の外周回り（外円周回り）に渦流を形成（発生）する。渦流形成体３４は、図１１乃至図１４に示すように、例えば、気泡貯留本体３１と一体に形成される。
渦流形成体３４は、図１１乃至図１４に示すように、複数の流れ案内板３５（流れ案内平板）、及び複数の渦流案内板３６を有する。渦流形成体３４は、例えば、４枚（４つ）の流れ案内板３５、及び４枚（４つ）の渦流案内板３６を有して構成される。
【００４６】
各流れ案内板３５は、図１１乃至図１４に示すように、気泡貯留本体３１の一方の筒端３１Ａ側（半球状の筒端側）に配置される。
各流れ案内板３５は、気泡貯留本体３１の周方向（円周方向）に等間隔（角度：９０度の間隔）を隔てて配置される。各流れ案内板３５は、相互の間に液流れ隙間δ１（液流れ間隔）を形成して配置される。
各流れ案内板３５は、気泡貯留本体３１の外周３１Ｃ（外周面／外円周面）に一体に形成される。各流れ案内板３５は、気泡貯留本体３１の外周３１Ｃから気泡貯留本体３１の径外方向に突出されて、気泡貯留本体３１の筒中心線方向Ｂに延在される。
【００４７】
各流れ案内板３５は、図１１乃至図１４に示すように、流れ表平面３７、流れ裏平面３８、流れ傾斜平面３９、及び流れ分流面４０を有する。
【００４８】
各流れ案内板３５において、流れ表平面３７及び流れ裏平面３８は、図１１乃至図１３に示すように、気泡貯留本体３１の周方向（円周方向）において、各流れ案内板３５の板厚さを有して平行に配置される。流れ表平面３７及び流れ裏平面３８は、相互に間隔（板厚さ）を隔てて平行して、気泡貯留本体３１の筒中心線方向Ｂに延在される。
【００４９】
各流れ案内板３５において、流れ傾斜平面３９は、図１１及び図１３に示すように、流れ表平面３７に対して傾斜角度θを持って、気泡貯留本体３１の一方の筒端３１Ａ側に位置する流れ案内板３５の一方の板端３５Ａ（板上端）から他方の板端３５Ｂ（他方の筒端３１Ｂ側に位置する板下端）に向けて傾斜しつつ延在される。
各流れ案内板３５の流れ傾斜平面３９は、同一方向に傾斜して、流れ表平面３７及び流れ裏平面３８の間に形成される。
傾斜角度θは、０度を超え９０度未満の鋭角であって、例えば、θ＝３８度である。
【００５０】
各流れ案内板３５において、流れ分流面４０は、図１１及び図１３に示すように、流れ案内板３５の他方の板端３５Ｂ側に形成される。流れ分流面４０は、気泡貯留本体３１の筒中心線方向Ｂにおいて、気泡貯留本体３１の他方の筒端３１Ｂ側に突出する半円形状（円孤状）に形成される。
【００５１】
各渦流案内板３６は、図１１乃至図１４に示すように、気泡貯留本体３１の一方の筒端３１Ａ側に配置される。
各渦流案内板３６は、気泡貯留本体３１の周方向に等間隔（角度：９０度の間隔）を隔てて配置される。各渦流案内板３６は、相互に渦流れ隙間δ２（渦流れ間隔）を形成して配置される。各渦流案内板３６は、気泡貯留本体３１の径方向において、各流れ案内板３５の外側（径外方）に配置されて、各流れ案内板３５に取付けられる。各渦流案内板３６は、気泡貯留本体３１の径方向において、各流れ案内板３５の先端（径方向の先端）と一体に形成される。
【００５２】
各渦流案内板３６は、図１１及び図１２に示すように、気泡貯留本体３１の周方向（円周方向）において、各流れ案内板３５の両側（円周方向の左右側）に突出して配置される。各渦流案内板３６は、図１１及び図１２に示すように、気泡貯留本体の筒中心線方向Ｂにおいて、各流れ案内板３５の両側（筒中心線方向Ｂの上下側）に延在して配置される。
【００５３】
各渦流案内板３６は、図１１、図１３及び図１４に示すように、内周円孤面４３（内側円孤面）、及び外周円孤面４４（外側円孤面）を有する。
【００５４】
各渦流案内板３６において、内周円孤面４３は、図１２（ａ）に示すように、気泡貯留本体３１の筒中心線ｂを中心とする半径Ｒ１の円孤面に形成される。内周円孤面４３の半径Ｒ１は、気泡貯留本体３１の筒外半径Ｒより大きい（Ｒ１＞Ｒ）。
これにより、各渦流案内板３６及び気泡貯留本体３１は、内周円孤面４３及び気泡貯留本体３１の外周３１Ｃの間に渦流空間ε（渦流環状空間）を形成する。各渦流案内板３６（内周円孤面４３）及び気泡貯留本体３１（外周３１Ｃ）の間の渦流空間εには、各流れ案内板３５が配置される。
【００５５】
各渦流案内板３６において、外周円孤面４４は、図１２（ａ）に示すように、気泡貯留本体３１の筒中心線ｂを中心とする半径Ｒ２の円孤面に形成される。外周円孤面４４の半径Ｒ２は、内周円孤面４３の半径Ｒ１、及び気泡貯留本体３１の筒外半径Ｒより大きい（Ｒ２＞Ｒ１＞Ｒ）。
【００５６】
流体ガイド手段４（流体ガイドユニット）は、図３、図１５乃至図１７に示すように、流体ガイド本体５５、流体絞り穴５６、及び整流体５７を有する。
【００５７】
流体ガイド本体５５は、図１５乃至図１７に示すように、電気絶縁性の樹脂（材料）によって、例えば、円錐台の筒体（円錐台筒体）に形成される。流体ガイド本体５５は、鍔円板５８（鍔平板）、及び一対の固定溝５９を有する。
【００５８】
鍔円板５８は、図１５乃至図１７に示すように、流体ガイド本体５５の筒中心線ｃの方向Ｃ（以下、「筒中心線方向Ｃ」という）において、円錐台の底面である一方の筒端５５Ａ側に配置される。鍔円板５８は、流体ガイド本体５５と同心に配置されて、流体ガイド本体５５と一体に形成される。鍔円板５８は、流体ガイド本体５５の外周５５Ｃ（外周面／外円周面）から径外方向に突出して形成される。
【００５９】
各固定溝５９は、図１５乃至図１７に示すように、鍔円板５８に形成される。各固定溝５９は、流体ガイド本体５５（鍔円板５８）の周方向（円周方向）に等間隔（角度：１８０度の間隔）を隔てて配置される。各固定溝５９は、鍔円板５８の周方向に溝幅、及び鍔円板５８の径方向に溝深さを有して、流体ガイド本体５５の筒中心線方向Ｃにおいて、鍔円板５８を貫通する。各固定溝５９は、鍔円板５８の外周５８Ａ（外周面／外円周面）に開口される。
【００６０】
流体絞り穴５６は、図１６（ａ）及び図１７に示すように、流体ガイド本体５５に形成される。流体絞り穴５６は、流体ガイド本体５５の筒中心線ｃと同心に配置される円錐穴である。流体絞り穴５６は、流体ガイド本体５５の筒中心線方向Ｃにおいて、流体ガイド本体５５を貫通して、一方の筒端５５Ａ及び他方の筒端５５Ｂ（円錐台の上面である筒端）に開口する。
流体絞り穴５６は、流体ガイド本体の一方の筒端５５Ａから段々に縮径しつつ他方の筒端５５Ｂまで延在される。
【００６１】
流体ガイド手段４において、整流体５７は、図１５乃至図１７に示すように、流体ガイド本体５５と一体に形成される。
整流体５７は、複数の整流板６０（整流平板）を有する。整流体５７は、例えば、４枚（４つ）の整流板６０を有して構成される。
【００６２】
各整流板６０は、図１５及び図１７に示すように、流体ガイド本体５５の他方の筒端５５Ｂ側（円錐台の上面である筒端側）に配置される。
各整流板６０は、流体ガイド本体５５周方向（円周方向）に等間隔（角度：９０度の間隔）を隔てて配置される。各整流板６０は、相互の間に整流隙間δ３（整流間隔）を形成して配置される。
各整流板６０は、流体ガイド本体５５の外周５５Ｃに一体に形成される。各整流板６０は、流体ガイド本体５５の外周５５Ｃから流体ガイド本体５５の径外方向に延在して、鍔円板５８の外周５８Ａから突出される。各整流板６０は、流体ガイド本体５５の筒中心線方向Ｃに延在される。
【００６３】
各整流板６０は、図１５乃至図１７に示すように、外周円孤面６０Ａ、整流表平面６１、整流裏平面６２、及び水分流面６３を有する。
【００６４】
各整流板６０において、外周円孤面６０Ａ（外側円孤面）は、図１６（ａ）に示すように、流体ガイド本体５５の筒中心線ｃを中心とする半径Ｒ５の円孤状に形成される。
【００６５】
各整流板６０において、整流表平面６１及び整流裏平面６２は、図１５及び図１６に示すように、流体ガイド本体５５の周方向（円周方向）において、各整流板６０の板厚さを有して平行に配置される。整流表平面６１及び整流裏平面６２は、相互に間隔（板厚さ）を隔てて平行して、流体ガイド本体５５の筒中心線方向Ｃに延在される。
【００６６】
各整流板６０において、水分流面６３は、図１１及び図１６（ａ）に示すように、流体ガイド本体５５の一方の筒端５５Ａ側に位置する整流板６０の一方の板端６０Ｂ側に形成される。水分流面６３は、流体ガイド本体５５の筒中心線方向Ｃにおいて、流体ガイド本体５５の一方の筒端５５Ａ側に突出する半円形状（円孤状）に形成される。
【００６７】
バブル発生装置Ｘにおいて、気泡貯留手段３は、図４乃至図６に示すように、液流路体１の流路穴７内に配置される。気泡貯留手段３において、気泡貯留本体３１は、流出口１０側において、流路穴７内に配置される。
気泡貯留本体３１は、気泡導入口３３を第１及び第２流入口８，９（管本体５の他方の筒端５Ｂ）に向けて、流出口１０側の流路穴７内に挿入（配置）される。気泡貯留本体３１は、筒中心線ｂを流路穴７の穴中心線ａに一致して、流路穴７と同心に配置される。気泡貯留本体３１は、第２流入口９（又は第１流入口８）及び流出口１０の間に位置して、流路穴７内に配置される。
【００６８】
気泡貯留本体３１は、各渦流案内板３６を流路穴７に液密に当接（圧接）して、流路穴７内に配置される。気泡貯留本体３１において、各渦流案内板３６は、図５及び図６に示すように、外周円孤面４４を流路穴７の穴内周７Ｘ（穴内周面）に当接（圧接）して配置される。
気泡貯留本体３１は、図４及び図５に示すように、各渦流案内板３６において、筒中心線方向Ｂの各板端３６Ａ，３６Ｂを主円筒管１１の一方の筒端１１Ａ、及び補助円筒管１２の突起１２Ａに当接して、流路穴７内に固定して配置される。気泡貯留本体３１は、主円筒管１１の一方の筒端１１Ａ及び補助円筒管１２の突起１２Ａにて、各渦流案内板３６を挟持することで、流出口１０側の流路穴７内に固定される。
【００６９】
これにより、気泡貯留本体３１は、図４乃至図６に示すように、流路穴７の穴内周７Ｘ（穴内周面）に流出隙間δＡ（流出間隔）を隔てる液流出路α１を形成して、流出口１０側の流路穴７内に配置される。液流出路α１は、流路穴７の穴内周７Ｘ及び気泡貯留本体３１の外周３１Ｃの間に形成され、気泡貯留本体３１の各流れ案内板３５間の液流れ隙間δ１、及び各渦流案内板３６間の渦流れ隙間δ２に連続（連通）する。
【００７０】
気泡貯留本体３１を流路穴７内に配置すると、気泡貯留空間３２（気泡貯留穴）、及び気泡導入口３３は、図４及び図５に示すように、流路穴７と同心に配置され、気泡導入口３３は、電極体２０側（各流入口８，９側）の流路穴７に開口（連通）する。
【００７１】
流路穴７内において、渦流形成体３４は、図４乃至図６に示すように、液流出路α１に配置され、混入空間α３から液流出路α１を流れる水道水に、気泡貯留本体３１の外周３１Ｃ回りの渦流σを形成（発生）する。流路穴７内において、各流れ案内板３５の流れ表平面３７及び流れ裏平面３８は、相互に平行して、流路穴７の穴中心線方向Ａに延在される。
流路穴７内において、各渦流案内板３６の内周円孤面４３は、流路穴７の周方向（穴円周方向）に円孤状に延在される。
【００７２】
バブル発生装置Ｘにおいて、電極ユニット２、及び流体ガイド手段４は、図１８に示すように、一体に組立てられる。
流体ガイド手段４において、流体ガイド本体５５は、図１８に示すように、正極電極２３及び負極電極２４において、電極板部２５の他方の極板端２５Ｂ側に配置される。
流体ガイド本体５５は、一方の筒端５５Ａを端子ベース１９（ベース本体２１）に向けて、鍔円板５８を正極電極２３及び負極電極２４（電極平板２８）の間に配置して、正極電極２３及び負極電極２４に組付けられる。
正極電極２３及び負極電極２４は、電極溝２７の貫通する電極平板２８の部分（電極平板２８の一部）を、流体ガイド本体５５の鍔円板５８の外周５８Ａから各固定溝５９内に挿入し、及び流体ガイド本体５５は、各固定溝５９の両側に位置する鍔円板５８を各電極２３，２４の電極溝２７に挿入する。
これにより、流体ガイド本体５５は、筒中心線ｃをベース本体２１（端子ベース１９）の筒中心線ｄに一致して、ベース本体２１（端子ベース１９）と同心に配置され、及び電極板部２５の他方の極板端２５Ｂ側に固定されて電極ユニット２に組付けられる。
流体絞り穴５６は、正極電極２３（電極平板２８）及び負極電極２４（電極平板２８）の間に開口（連通）して、流体ガイド本体５５の一方の筒端５５Ａから段々に縮径しつつ延在して、他方の筒端５５Ｂに開口する。
【００７３】
電極ユニット２に流体ガイド本体５５（流体ガイド手段４）を組付けた組立体Ｙ（以下、「組立体Ｙ」という）は、図１８に示すように、端子ベース１９、各電極２３，２４（電極板部２５）及び流体ガイド本体５５の順に配置して組立てられる。
組立体Ｙは、流体ガイド本体５５の他方の筒端５５Ｂを、各電極２３，２４の電極板部２５の他方の極板端２５Ｂから延在して、流体ガイド本体５５を各電極２３，２４に固定する。
【００７４】
バブル発生装置Ｘにおいて、組立体Ｙ（電極ユニット２及び流体ガイド手段４）は、図４、図７及び図８に示すように、流路穴７の穴中心線方向Ａにおいて、流路穴７内の気泡貯留本体３１（気泡貯留手段３）より第１及び第２流入口８，９側の流路穴７内に配置される。
【００７５】
組立体Ｙは、図４及び図７に示すように、管本体５（主円筒管１１）の他方の筒端５Ｂから流路穴７内に挿入される。組立体Ｙは、流体ガイド本体５５の他方の筒端５５Ｂ側（各整流板６０側）から、管本体５の他方の筒端５Ｂを通して流路穴７内に挿入される。
【００７６】
組立体Ｙにおいて、流体ガイド本体５５は、図７に示すように、他方の筒端５５Ｂを気泡貯留本体３１の気泡導入口３３（気泡貯留空間３２）に向けて、及び各整流板６０を流路穴７に挿入（配置）される。
流体ガイド本体５５（流体ガイド手段４）は、筒中心線ｃ（流体絞り穴５６の穴中心線ｃ）を、気泡貯留本体３１の筒中心線ｂ（気泡貯留空間３２の穴中心線ｃ、気泡導入口３３の口中心線ｃ）に一致して、気泡貯留本体３１と同心に配置される。
組立体Ｙにおいて、流体ガイド本体５５は、各整流板６０を流路穴７に液密に当接（圧接）して、流路穴７内に配置される。流体ガイド本体５５において、各整流板６０は、図７に示すように、外周円孤面６０Ａを流路穴７の穴内周７Ｘ（穴内周面）に当接（圧接）して配置される。
【００７７】
組立体Ｙにおいて、ベース本体２１（端子ベース１９）は、図４及び図７に示すように、一方の筒端２１Ａから管本体５（主円筒管１１）の他方の筒端５Ｂ側に外嵌されて、管本体５（主円筒管１１）の他方の筒端５Ｂ側に螺着される。ベース本体２１は、主円筒管１１への螺着に伴って、シールリングＳＲを介在して管本体５の他方の筒端５Ｂに当接（圧接）される。
これにより、電極ユニット２において、端子ベース１９（ベース本体２１）は、流路穴７を液密にして、管本体５に取付けられる。
【００７８】
端子ベース１９（ベース本体２１）を管本体５（液流路体１）に取付けると、正極電極２３は、図４及び図７に示すように、電極板部２５（電極平板２８）を第１流入口８（流入口８）に対向（対峙）して流路穴７に配置される。負極電極２４は、図４及び図７に示すように、第１流入口８の間に正極電極２３を介在して、電極板部２５（電極平板２８）を第１流入口８に対向（対峙）して流路穴７内に配置される。
正極電極２３及び負極電極２４は、第１流入口８と向かい合って（第１流入口８と対向して）、流入穴７に配置される。流路穴７内において、負極電極２４は、正極電極２３に電極間隔ＨＥを隔てて対向（対峙）して並設される。
正極電極２３及び負極電極２４は、図４及び図７に示すように、管本体５の筒中心線方向Ａ（流路穴７の穴中心線方向Ａ）において、管本体５の他方の筒端５Ｂから第１流入口８を通って第２流入口９近傍まで延在して配置される。
正極電極２３及び負極電極２４は、電極平板２８及び流路穴７の穴内周７Ｘ（穴内周面）の間に電極流れ隙間δＸ（電極流れ間隔）を隔てて流路穴７内に配置される。
これにより、第１流入口８は、電極体２０（正極電極２３、負極電極２４）に対向して（正極電極２３及び負極電極２４と向かい合って）流路穴７に開口する。
【００７９】
端子ベース１９を管本体５（液流路体１）に取付けると、流体ガイド本体５５は、図４、図７及び図８に示すように、流路穴７の穴中心線方向Ａにおいて、電極体２０及び気泡貯留本体３１（気泡貯留手段３）の間の流路穴７内に配置される。流体ガイド本体５５は、流路穴７の穴中心線方向Ａにおいて、第２流入口９より気泡貯留本体３１側、及び第２流入口９より電極体２０側に連続して配置（延在）される。
流体ガイド本体５５は、図４図７及び図８に示すように、筒中心線ｃ（流体絞り穴５６の穴中心線ｃ）を、気泡導入口３３の口中心線ｂ（気泡貯留空間３２の穴中心線ｂ）に一致して、気泡貯留本体３１と同心に配置される。
流体ガイド本体５５は、流路穴７の穴内周７Ｘ（穴内周面）に流入隙間δＢ（流入間隔）を隔てる液流入路α２を形成して流路穴７内に配置される。液流入路α２は、流路穴７の穴内周７Ｘ（穴内周面）及び流体ガイド本体５５の外周５５Ｃの間に形成され、各整流板６０の間の整流隙間δ３に連続（連通）する。液流入路α２は、第２流入口９に連通され、第２流入口９は、流体ガイド本体５５に対向して液流入路α２に開口する。第２流入口９は、電極体２０及び整流体５７（各整流板６０）の間において、流体ガイド本体５５に対向（対峙）して液流入路α２に開口する。
【００８０】
流体ガイド本体５５は、図４、図５、図７及び図８に示すように、流路穴７の穴中心線方向Ａにおいて、液流入路α２及び液流出路α１に連続（連通）する混入空間α３を気泡貯留本体３１（気泡導入口３３）の間に形成して流路穴７内に配置される。混入空間α３は、流体ガイド本体５５の他方の筒端５５Ｂ及び気泡貯留本体３１の他方の筒端３１Ｂの間に形成される。
これにより、 液流出路α１及び液流入路α２は、混入空間α３を通して連通される。流体絞り穴５６は、混入空間α３及び電極体２０側（第１流入口８側）の流路穴７に開口する。流体絞り穴５６は、混入空間α３を通して気泡導入口３３（気泡貯留空間３２）に連通される。
流体絞り穴５６は、流路穴７の穴中心線方向Ａにおいて、流体ガイド本体５５を貫通して、正極電極２３及び負極電極２４の間（各電極２３，２４の間の流路穴７）に開口して、及び混入空間α３に開口する。流体絞り穴５６は、流路穴７の穴中心線方向Ａにおいて、正極電極２３及び負極電極２４の間（電極体２０側）から段々に縮径しつつ流体ガイド本体５５を貫通して、混入空間α３に開口する。
【００８１】
流路穴７内において、整流体５７（各整流板６０）は、図４、図５及び図７に示すように、液流入路α２に配置され、電極体２０側から液流入路α２を流れる水道水を整流して、整流した水道水を液流出路α１に向けて混入空間α3に流出する。流路穴７内において、各整流板６０の整流表平面６１及び整流裏平面６２は、相互に平行して、流路穴７の穴中心線方向Ａに延在される。
【００８２】
端子ベース１９を管本体５に取付けると、流体ガイド本体５５は、図４及び図７に示すように、鍔円板５８の外周５８Ａ及び流路穴７の穴内周７Ｘ（穴内周面）に気液流れ隙間δＣ（気泡流れ間隔）を隔てて流路穴７内に配置される。気液流れ隙間δＣは、電極体２０の位置する流路穴７（電極流れ隙間δＸ）及び液流入路α２に連続（連通）する。
液流入路α２は、気液流れ隙間δＣを通して電極流れ隙間δＸに連通され、電極流れ隙間δＸ（電極流れ間隔）は、気液流れ隙間δＣを通して液流入路α２に連続（連通）する。
【００８３】
バブル発生装置Ｘにおいて、正極電極２３及び負極電極２４（電極体２０）は、電源（図示しない）に接続される。正極電極２３及び負極電極２４は、ベース本体２１内の端子板部２６を電源（図示しない）に電気的に接続する。
これにより、電極体２０は、電源によって、正極電極２３及び負極電極２４の間に電圧（例えば、直流電圧）が印加される。
【００８４】
バブル発生装置Ｘには、図４に示すように、水供給源（図示しない）から水道水Ｗ（冷水又は温水）が供給（流入）される。水道水Ｗ（水Ｗ）は、図４及び図７に示すように、導入管体６の主導入円筒管１３に流入し、主導入円筒管１３から第１流入口８を通して、電極体２０の位置する流路穴７内に流入する。水道水は、分岐導入円筒管１４から第２流入口９を通して、液流入路α２（流体ガイド本体５５の位置する流路穴７内）に流入する。
【００８５】
第１流入口８から流入した水道水Ｗは、図４に示すように、正極電極２３及び負極電極２４の間、電極流れ隙間δＸ（電極流れ間隔）を流れ、各電極２３，２４の間から流体絞り穴５６に流入し、及び電極流れ隙間δＸから気液流れ隙間δＣを通って液流入路α２に流入する。
第２流入口９、及び電極流れ隙間δＸから液流入路α２に流入した水道水Ｗは、混入空間α３に流れ、混入空間α３から液流出路α１を流れて、流出口１０から流出する。
【００８６】
バブル発生装置Ｘにおいて、流路穴７内を水道水Ｗで充填すると、電源（図示しない）によって、正極電極２３及び負極電極２４の間に電圧を印加する。
正極電極２３及び負極電極２４に電圧を印加すると、電極体２０（正極電極２３及び負極電極２４）は、図１９に示すように、正極電極２３（電極平板２８）及び負極電極２４（電極平板２８）の間を流れる水道水Ｗを電気分解（電気的な酸化還元反応）して、水素（水素の気泡）及び酸素（酸素の気泡）を発生する。
【００８７】
電極体２０の電気分解にて電解水を含む水道水Ｗ１（以下、「水道水Ｗ１（水Ｗ１）」という）、及び各電極２３，２４の間で発生した水素の気泡、酸素の気泡（以下、「気泡ＢＵ」という）は、流体ガイド本体５５の一方の筒端５５Ａから流体絞り穴５６に流入する。正極電極２３及び負極電極２４において、各電極平板２８は、各電極２３，２４の間を流れる水道水Ｗ１、及び各電極２３，２４の間で発生した気泡ＢＵを流体絞り穴５６に案内して、水道水Ｗ１及び気泡ＢＵを流体絞り穴５６に流入させる。
流体絞り穴５６に流入した水道水Ｗ１及び気泡ＢＵは、図２０に示すように、流速を増加及び減圧しつつ流体絞り穴５６を流れ、混入空間α３に噴出（噴射）される。流体絞り穴５６は、水道水Ｗ１及び気泡ＢＵの流速を増加（減圧）しつつ流して、水道水Ｗ１及び気泡ＢＵを気泡導入口３３に向けて混入空間α３に噴出（噴射）する。
これにより、流体ガイド手段４は、正極電極２３及び負極電極２４の間（電極体２０側）からの水道水Ｗ１及び気泡ＢＵを流体絞り穴５６から気泡導入口３３に向けて混入空間α３に噴出（噴射）する。
【００８８】
流体絞り穴５６から混入空間α３に噴出した水道水Ｗ１及び気泡ＢＵは、気泡導入口３３から気泡貯留空間３２に流入する。混入空間α３に噴出された気泡ＢＵは、気泡導入口３３から気泡貯留空間３２に貯留される。
これにより、気泡貯留手段３は、水道水Ｗ１及び気泡ＢＵが気泡導入口３３から気泡貯留空間３２に流入し、気泡ＢＵを気泡貯留空間３２に貯留する。
【００８９】
流体絞り穴５６から水道水Ｗ１及び気泡ＢＵを噴出（噴射）すると、気泡貯留本体３１及び流体ガイド本体５５間の混入空間α３において、水道水は、図２０に示すように、流速が減速され、圧力の高くなった乱流となり、水道水Ｗ１にベンチュリー効果による負圧を発生させる。
流体絞り穴５６から噴出された水道水Ｗ１は、図２０に示すように、気泡貯留空間３２（気泡導入口３３）の水面δＹに衝突して流体ガイド本体５５側に跳ね返されて乱流となる。混入空間α３に噴出した水道水Ｗ１は、気泡貯留空間３２に貯留した気泡ＢＵの圧力（気圧）によって、水面δＹに衝突して跳ね返される。
【００９０】
気泡貯留本体３１及び流体ガイド本体５５間の混入空間α３において、水道水Ｗ１中の空気及び気泡ＢＵは、ベンチュリー効果、水道水Ｗ１の乱流、及び水面δＹの衝突によって、マイクロ単位の気泡（マイクロバブル）及びナノ単位の気泡（ウルトラファインバブル）に粉砕（剪断）される。
マイクロ単位の気泡（マイクロバブル）及びナノ単位の気泡（ウルトラファインバブル）は、水道水Ｗ１に混入及び溶け込む（以下、「気泡混入水Ｗ２」という）。。
水道水Ｗ１に混入、及び溶け込むマイクロ単位の気泡及びナノ単位の気泡は、空気の気泡、水素の気泡及び酸素の気泡である。
【００９１】
第１流入口８から電極流れ隙間δＸ（電極流れ間隔δＸ）を流れる水道水Ｗは、図１９に示すように、気液流れ隙間δＣを通って液流入路α２に噴出（流入）され、第２流入口９から液流入路α２に流入した水道水Ｗと合流する。
第２流入口９及び気液流れ隙間δＣから液流入路α２に流入した水道水Ｗは、図２０に示すように、流体ガイド手段４の整流体５７（各整流板６０）に向けて流れる。
【００９２】
液流入路α２を流れる水道水Ｗは、図２１に示すように、各整流板６０の水分流面６３で分岐（分流）されて、各整流板６０の整流表平面６１及び整流裏平面６２に流出する。液流入路α２において、水道水Ｗは、各整流板６０の整流表平面６１及び整流裏平面６２に沿って、各整流隙間δ３を流路穴７の穴中心線方向Ａに流れる。
これにより、整流体５７（各整流板６０）は、電極体２０側（電極流れ隙間δＸ側）、及び第２流入口９から液流入路α２を流れる水道水Ｗを穴中心線方向Ａに整流して、液流出路α１に向けて混入空間α３に流出（噴出／噴射）する。
【００９３】
整流された水道水Ｗは、図２０に示すように、気泡貯留本体３１の外周３１Ｃ及び流路穴７の穴内周７Ｘ間の混入空間α３に流出（噴出／噴射）され、液流出路α１に流入する。
【００９４】
気泡混入水Ｗ２（初期・気泡混入水Ｗ２）は、図２０に示すように、混入空間α３から液流出路α１に流れる水道水Ｗによって、気泡貯留本体３１及び流体ガイド本体５５の間の混入空間α３から液流出路α１に流れて、水道水Ｗと合流する。
混入空間α３から液流出路α１に流れる水道水Ｗは、穴中心線方向Ａに向う流れ（整流）によって、気泡混入水Ｗ２を液流出路α１に引き込んで（引き寄せて）、気泡混入水Ｗ２と合流する。
【００９５】
水道水Ｗ及び気泡混入水Ｗ２の合流した気泡混入水Ｗ３（中間・気泡混入水Ｗ３）は、図２２に示すように、気泡貯留手段３の渦流形成体３４（各流れ案内板３５）に向けて液流出路α１を流れる。
【００９６】
液流出路α１を流れる気泡混入水Ｗ３は、図２３に示すように、各流れ案内板３５の流れ分流面４０で分岐（分流）されて、流れ表平面３７及び流れ裏平面３８に流出する。液流入路α１において、気泡混入水Ｗ３は、各流れ案内板３５の流れ表平面３７及び流れ裏平面３８に沿って、各液流れ隙間δ１を流路穴７の穴中心線方向Ａに流れる。
各流れ案内板３５の流れ裏平面３８に沿って流れる気泡混入水Ｗ３は、図２３に示すように、流れ裏平面３８から流れ傾斜平面３９に沿って流れる。
各流れ案内板３５は、流れ傾斜平面３９によって、気泡混入を各渦流案内板３６（内周円孤面４３）に向う流れに変更される。
これにより、気泡混入水Ｗ３は、各流れ案内板３５の流れ傾斜平面３９によって、各渦流案内板３６の内周円孤面４３に向けて流れる。
【００９７】
各流れ案内板３５（流れ傾斜平面３９）で流れを変更された気泡混入水Ｗ３は、図２４に示すように、各渦流案内板３６及び気泡貯留本体３１間の渦流空間εに流出される。渦流空間εに流出した気泡混入水Ｗ３は、各渦流案内板３６の内周円孤面４３、及び気泡貯留本体３１の外周３１Ｃに接触して、各渦流案内板３６の内周円孤面４３及び気泡貯留本体３１の外周３１Ｃ（外周面）にてガイドされつつ旋回して流れる。
各渦流案内板３６は、気泡混入水Ｗ３を内周円孤面４３でガイド（案内）しつつ旋回して流す。
これより、渦流形成体３４は、液流出路α１を流れる気泡混入水Ｗ３に、気泡貯留本体３１の外周回りであって、各渦流案内板３６の内周円孤面４３及び気泡貯留本体３１の外周３１Ｃに沿った渦流σを形成（発生）する。
渦流σは、流路穴７の穴中心線ａ（気泡貯留本体３１の筒中心線ｂ）を中心とする渦流れであって、例えば、時計方向に回転（旋回）する。
渦流σは、図２３及び図２４に示すように、各渦流案内板３６（各流れ案内板３５）より流体ガイド本体５５側（電極体２０側）の液流出路α１にわたって形成され、及び各渦流案内板３６（渦流形成体３４）から流路穴７を通って、流出口１０に進む。
なお、気泡貯留本体３１は、外周３１Ｃにて渦流σをガイド（案内）することから、渦流形成体３４を構成する。
【００９８】
気泡混入水Ｗ３は、渦流σにて乱流となり、液流出路α１、及び流路穴７を流れる。気泡混入水Ｗ３には、渦流σの圧力差によるキャビテーション（洞窟現象）が発生する。
これにより、気泡混入水Ｗ１中の空気（気泡ＢＵ）は、乱流及びキャビテーションによって更に、十分な量（多数量）のマイクロ単位の気泡ＢＵ（マイクロバブル）、及び十分な量（多数量）のナノ単位の気泡ＢＵ（ウルトラファインバブル）に粉砕（剪断）される。
渦流σで再度、微細な粉砕（剪断）されたマイクロ単位の気泡ＢＵ、及びナノ単位の気泡ＢＵは、気泡混入水Ｗ３に混入及び溶け込んで、気泡混入水Ｗ４（最終・気泡混入水Ｗ４）となる。気泡混入水Ｗ４は、図２２に示すように、流路穴７を通って流出口１０から流出される。
【００９９】
このように、バブル発生装置Ｘは、流体絞り穴５６から水道水Ｗ１及び気泡ＢＵを混入空間α３に噴出（噴射）するとことで、水道水Ｗ１の空気及び気泡ＢＵを一次的に微細に粉砕（剪断）し、更に、渦流σを形成することで、気泡混入水Ｗ中の空気、水素及び酸素を微細に粉砕（剪断）でき、十分な量（多数量）のマイクロ単位の気泡ＢＵ（マイクロバブル）、及び十分な量（多数量）のナノ単位の気泡ＢＵ（ウルトラファインバブル）を水道水Ｗ（水Ｗ）に混入、溶込ませることができる。
バブル発生装置Ｘでは、第１流入口８は、流路穴７の穴内周７Ｘに開口して形成する構成に限定されず、正極電極２３及び負極電極２４と対向（対峙）、即ち正極電極２３及び負極電極２４と向かい合う構成であれば良く、例えば、管本体５の他方の筒端５Ｂに開口して形成して、正極電極２３及び負極電極２４と向かい合わせる構成も採用できる。
【０１００】
バブル発生装置Ｘは、図２５に示すように、例えば、洗面ユニットＺに設置（配置）される。洗面ユニットＺは、洗面台１０１、洗面ボール１０２（洗面器）、水栓１０３（蛇口）等を備える。洗面ボール１０２は、洗面台１０１上に設置される。洗面ボール１０２は、排水管（図示しない）に接続される排水口１０４を有する。
水栓１０３は、洗面ボール１０２上に配置されて、洗面台１０１又は洗面ボール１０２に取付けられる。水栓１０３は、給水管１０５に接続され、給水管１０５は、水供給源（図示しない）に接続される。
バブル発生装置Ｘは、図２５に示すように、給水管１０５中の水栓１０３側（水栓１０３近傍）に配置される。バブル発生装置Ｘは、洗面台１０１内に収納されて配置される。
【０１０１】
図２５において、水供給源（図示しない）からの水道水は、給水管１０５からバブル発生装置Ｘの主導入円筒管１３（導入管体６）を流れ、主導入円筒管１３及び分岐導入円筒管１４を通って第１及び第２流入口８，９から液流路体１の流路穴７に流入する（図４及び図７参照）。
【０１０２】
図２５において、バブル発生装置Ｘは、図１９乃至図２４で説明したと同様に、気泡混入水Ｗ４を水栓１０３（蛇口）側の給水管１０５に流出する。気泡混入水Ｗ４は、給水管１０５を通って水栓１０３から洗面ボール１０２内に流れる。
洗面ボール１０２に流出する気泡混入水Ｗ４は、マイクロバブル及びウルトラファインバブルによって、優れた洗浄及び殺菌の効果を発揮する。
【０１０３】
バブル発生装置Ｘでは、特に、洗面ユニットＺに設置することに限定されるものでなく、例えば、浴槽に設置して、浴槽内に気泡混入水Ｗ４を噴出（流入）しても良く、シャワーヘッドに接続（連結）してシャワーヘッドの噴射穴から気泡混入水Ｗ４を噴出（噴射）しても良い。
【産業上の利用可能性】
【０１０４】
本発明は、マクロ単位の気泡（マイクロバブル）、及びナノ単位の気泡（ウルトラファインバブル）を水道水（水）に混入、溶込ませるのに最適である。
【符号の説明】
【０１０５】
Ｘ  バブル発生装置
１  液流路体
３  気泡貯留手段
４  流体ガイド手段
７  流路穴
８  第１流入口
１０  流出口
２０  電極体
２３  正極電極
２４  負極電極
３１  気泡貯留本体
３２  気泡貯留空間
３３  気泡導入口
５５  流体ガイド本体
５６  流体絞り穴
α１  液流出路
α２  液流入路
ＨＥ  電極間隔
【図１】
0006971487.tif 000002
【図２】
0006971487.tif 000003
【図３】
0006971487.tif 000004
【図４】
0006971487.tif 000005
【図５】
0006971487.tif 000006
【図６】
0006971487.tif 000007
【図７】
0006971487.tif 000008
【図８】
0006971487.tif 000009
【図９】
0006971487.tif 000010
【図１０】
0006971487.tif 000011
【図１１】
0006971487.tif 000012
【図１２】
0006971487.tif 000013
【図１３】
0006971487.tif 000014
【図１４】
0006971487.tif 000015
【図１５】
0006971487.tif 000016
【図１６】
0006971487.tif 000017
【図１７】
0006971487.tif 000018
【図１８】
0006971487.tif 000019
【図１９】
0006971487.tif 000020
【図２０】
0006971487.tif 000021
【図２１】
0006971487.tif 000022
【図２２】
0006971487.tif 000023
【図２３】
0006971487.tif 000024
【図２４】
0006971487.tif 000025
【図２５】
0006971487.tif 000026